(57)【要約】  情報公開支援システムは、公開予定である公開対象情報と、公開対象情報を公開する契機となる契機イベントを表す契機イベント情報と、を格納する格納手段と、車両で発生したイベントを特定するための特定情報を受信すると、特定情報にて特定されるイベントが契機イベントである場合に、契機イベントを公開の契機とする公開対象情報を公開する制御手段と、を含む。
2014038250.tif 000002
【特許請求の範囲】
【請求項１】
公開予定である公開対象情報と、当該公開対象情報を公開する契機となる契機イベントを表す契機イベント情報と、を格納する格納手段と、
車両で発生したイベントを特定するための特定情報を受信すると、当該特定情報にて特定されるイベントが前記契機イベントである場合に、前記契機イベントを公開の契機とする前記公開対象情報を公開する制御手段と、を含む情報公開支援システム。
【請求項２】
前記格納手段は、前記公開対象情報の公開先を表す公開先情報を、さらに格納し、
前記制御手段は、前記特定情報にて特定されるイベントが前記契機イベントである場合に、前記契機イベントを公開の契機とする前記公開対象情報を前記公開先に公開する、請求項１に記載の情報公開支援システム。
【請求項３】
請求項１または２に記載の情報公開支援システムと、車両に搭載された車載機と、の各々と通信する携帯通信端末であって、
前記車載機から前記車両に関する車両情報を受信すると、当該車両情報を用いて、前記車両で発生したイベントを検出する検出手段と、
前記検出手段が検出したイベントを特定するためのイベント特定情報を、前記特定情報として、前記情報公開支援システムに送信する処理手段と、を含む携帯通信端末。
【請求項４】
請求項１または２に記載の情報公開支援システムと、車両に搭載された車載機と、の各々と通信する携帯通信端末であって、
前記車載機から前記車両で発生したイベントを表すイベント情報を受信すると、当該イベント情報が表すイベントを特定するためのイベント特定情報を、前記特定情報として、前記情報公開支援システムに送信する処理手段を含む携帯通信端末。
【請求項５】
請求項１または２に記載の情報公開支援システムと通信する携帯通信端末であって、
前記車両を目的地まで案内する車両案内手段と、
前記車両案内手段の出力に基づいて、前記車両で発生したイベントを検出する検出手段と、
前記検出手段が検出したイベントを特定するためのイベント特定情報を、前記特定情報として、前記情報公開支援システムに送信する処理手段と、を含む携帯通信端末。
【請求項６】
公開予定である公開対象情報と、当該公開対象情報を公開する契機となる契機イベントを表す契機イベント情報と、を格納する格納手段と、
車両を目的地まで案内する車両案内手段と、
前記車両案内手段の出力に基づいて、前記車両で発生したイベントを検出する検出手段と、
前記検出手段にて検出されたイベントが前記契機イベントである場合に、前記契機イベントを公開の契機とする前記公開対象情報を公開する制御手段と、を含む携帯通信端末。
【請求項７】
情報公開支援システムが行う情報公開支援方法であって、
公開予定である公開対象情報と、当該公開対象情報を公開する契機となる契機イベントを表す契機イベント情報とを、格納手段に格納し、
車両で発生したイベントを特定するための特定情報を受信すると、当該特定情報にて特定されるイベントが前記契機イベントである場合に、前記契機イベントを公開の契機とする前記公開対象情報を公開する、情報公開支援方法。
【請求項８】
携帯通信端末が行う情報公開支援方法であって、
公開予定である公開対象情報と、当該公開対象情報を公開する契機となる契機イベントを表す契機イベント情報とを、格納手段に格納し、
車両を目的地まで案内し、
前記車両の案内に基づいて、前記車両で発生したイベントを検出し、
検出されたイベントが前記契機イベントである場合に、前記契機イベントを公開の契機とする前記公開対象情報を公開する、情報公開支援方法。
【請求項９】
コンピュータに、
公開予定である公開対象情報と、当該公開対象情報を公開する契機となる契機イベントを表す契機イベント情報とを、格納手段に格納する格納手順と、
車両で発生したイベントを特定するための特定情報を受信すると、当該特定情報にて特定されるイベントが前記契機イベントである場合に、前記契機イベントを公開の契機とする前記公開対象情報を公開する制御手順と、を実行させるためのプログラムを記録したコンピュータ読み取り可能な記録媒体。
【請求項１０】
コンピュータに、
公開予定である公開対象情報と、当該公開対象情報を公開する契機となる契機イベントを表す契機イベント情報とを、格納手段に格納する格納手順と、
車両を目的地まで案内する車両案内手順と、
前記車両の案内に基づいて、前記車両で発生したイベントを検出する検出手順と、
検出されたイベントが前記契機イベントである場合に、前記契機イベントを公開の契機とする前記公開対象情報を公開する制御手順と、を実行させるためのプログラムを記録したコンピュータ読み取り可能な記録媒体。
【発明の詳細な説明】
【技術分野】
【０００１】
本発明は、情報公開支援システム、携帯通信端末、情報公開支援方法およびプログラムに関する。
【背景技術】
【０００２】
近年、インターネットの普及とともに、各個人が各自の持つ情報または各自がおかれている状況を自発的に多くの人に向けて公開することを支援するサービスが急速に普及している。【０００３】
各自が公開する文書は「つぶやき」などと呼ばれ、スマートフォンなど携帯型情報端末の急速な普及により、いつでもどこでも文書にて自身の情報を公開する人は増加している。【０００４】
個人が情報を公開することを支援するシステムの例としては、特許文献１に記載されたナビゲーションシステムがある。特許文献１に記載のナビゲーションシステムは、端末装置のユーザの操作に応じて、案内経路情報を公開する。【０００５】
以下、特許文献１に記載のナビゲーションシステムについて説明する。【０００６】
特許文献１に記載のナビゲーションシステムでは、端末装置のユーザが、端末装置の操作入力手段を操作すると、端末装置が、情報公開要求を経路探索サーバに送信する。経路探索サーバは、情報公開要求を受信すると、事前に端末装置からの要求にて探索した案内経路情報を、他の端末装置に公開する。
【先行技術文献】
【特許文献】
【０００７】
【特許文献１】特開２００９−１９９１０号公報
【発明の概要】
【発明が解決しようとする課題】
【０００８】
特許文献１に記載のナビゲーションシステムは、案内経路情報を公開できるが、案内経路情報以外の任意の情報（例えば、ユーザが作成した公開対象の情報）を公開できない。【０００９】
ユーザは、案内経路情報以外の任意の情報を公開するには、携帯型情報端末のように通信機能を持つ情報端末を操作する必要がある。このため、自動車の運転中のように、ユーザが情報端末を手で操作できない状況では、ユーザが任意の公開対象の情報を公開することは困難である。【００１０】
本発明の目的は、上記課題を解決可能な情報公開支援システム、携帯端末、情報公開支援方法およびプログラムを提供することである。
【課題を解決するための手段】
【００１１】
本発明の情報公開支援システムは、
公開予定である公開対象情報と、当該公開対象情報を公開する契機となる契機イベントを表す契機イベント情報と、を格納する格納手段と、
車両で発生したイベントを特定するための特定情報を受信すると、当該特定情報にて特定されるイベントが前記契機イベントである場合に、前記契機イベントを公開の契機とする前記公開対象情報を公開する制御手段と、を含む。【００１２】
本発明の携帯通信端末は、
公開予定である公開対象情報と、当該公開対象情報を公開する契機となる契機イベントを表す契機イベント情報と、を格納する格納手段と、
車両を目的地まで案内する車両案内手段と、
前記車両案内手段の出力に基づいて、前記車両で発生したイベントを検出する検出手段と、
前記検出手段にて検出されたイベントが前記契機イベントである場合に、前記契機イベントを公開の契機とする前記公開対象情報を公開する制御手段と、を含む。【００１３】
本発明の情報公開支援方法は、
情報公開支援システムが行う情報公開支援方法であって、
公開予定である公開対象情報と、当該公開対象情報を公開する契機となる契機イベントを表す契機イベント情報とを、格納手段に格納し、
車両で発生したイベントを特定するための特定情報を受信すると、当該特定情報にて特定されるイベントが前記契機イベントである場合に、前記契機イベントを公開の契機とする前記公開対象情報を公開する。【００１４】
本発明の情報公開支援方法は、
携帯通信端末が行う情報公開支援方法であって、
公開予定である公開対象情報と、当該公開対象情報を公開する契機となる契機イベントを表す契機イベント情報とを、格納手段に格納し、
車両を目的地まで案内し、
前記車両の案内に基づいて、前記車両で発生したイベントを検出し、
検出されたイベントが前記契機イベントである場合に、前記契機イベントを公開の契機とする前記公開対象情報を公開する。【００１５】
本発明の記録媒体は、
コンピュータに、
公開予定である公開対象情報と、当該公開対象情報を公開する契機となる契機イベントを表す契機イベント情報とを、格納手段に格納する格納手順と、
車両で発生したイベントを特定するための特定情報を受信すると、当該特定情報にて特定されるイベントが前記契機イベントである場合に、前記契機イベントを公開の契機とする前記公開対象情報を公開する制御手順と、を実行させるプログラムを記録したコンピュータ読み取り可能な記録媒体である。【００１６】
本発明の記録媒体は、
コンピュータに、
公開予定である公開対象情報と、当該公開対象情報を公開する契機となる契機イベントを表す契機イベント情報とを、格納手段に格納する格納手順と、
車両を目的地まで案内する車両案内手順と、
前記車両の案内に基づいて、前記車両で発生したイベントを検出する検出手順と、
検出されたイベントが前記契機イベントである場合に、前記契機イベントを公開の契機とする前記公開対象情報を公開する制御手順と、を実行させるプログラムを記録したコンピュータ読み取り可能な記録媒体である。
【発明の効果】
【００１７】
本発明によれば、ユーザが公開したい情報を自動車の運転中に公開することが可能になる。
【図面の簡単な説明】
【００１８】
【図１】本発明の第１実施形態の情報公開システム１を示した図である。
【図２】車載情報端末１００と携帯型情報端末２００とクラウドセンター３００の一例を示したブロック図である。
【図３】データベース３０１に保存される情報の例を示した図である。
【図４】データベース３０１での情報の関連づけの一例を示した図である。
【図５】制御部２０７が発生イベント情報を受け付けた場合の動作を説明するためのフローチャートである。
【図６】制御部３０３がイベントＩＤを受け付けた場合の動作を説明するためのフローチャートである。
【図７】本発明の第２実施形態の情報公開システム１Ａを示した図である。
【図８】本発明の第３実施形態の情報公開システム１Ｂを示した図である。
【図９】図８に示す情報公開システム１Ｂの概略的な機能を示した図である。
【図１０】本発明の第４実施形態の情報公開システム１Ｃを示した図である。
【図１１】図１０に示す情報公開システム１Ｃの概略的な機能を示した図である。
【図１２】制御部２０７Ｃの動作を説明するためのフローチャートである。
【発明を実施するための形態】
【００１９】
以下、本発明の実施形態について、図面を参照して説明する。
【００２０】
（第１実施形態）
図１は、本発明の第１実施形態の情報公開システム１を示した図である。
【００２１】
図１において、情報公開システム１は、車載情報端末１００と、携帯型情報端末２００と、クラウドセンター３００と、を含む。なお、図１では、車載情報端末１００と携帯型情報端末２００との組を１組しか示していないが、車載情報端末１００と携帯型情報端末２００との組は、２組以上でもよい。
【００２２】
車載情報端末１００は、例えば、カーナビゲーション装置である。車載情報端末１００は、自動車（車両）４００内に設置され、自動車４００内に位置する携帯型情報端末２００等の機器と通信する機能を所有する。
【００２３】
携帯型情報端末２００は、例えば、スマートフォンまたはタブレット端末である。携帯型情報端末２００は、無線ＬＡＮ（Local Area Network）などの通信機能を所有する。
【００２４】
クラウドセンター３００は、自動車４００外に設けられ、携帯型情報端末２００と無線通信して情報の公開を制御する。なお、クラウドセンター３００は、複数のコンピュータにて構成されてもよいし、単一のコンピュータにて構成されてもよい。
【００２５】
図２は、車載情報端末１００と携帯型情報端末２００とクラウドセンター３００の一例を示したブロック図である。
【００２６】
図２において、車載情報端末１００は、入力部１０１と、オーディオ入力部１０２と、オーディオ出力部１０３と、表示部１０４と、記憶部１０５と、車載端末通信部１０６と、制御部１０７と、を含む。携帯型情報端末２００は、入力部２０１と、表示部２０２と、記憶部２０３と、通信部２０４と、携帯型端末通信部２０５と、イベント検出部２０６と、制御部２０７と、を含む。クラウドセンター３００は、データベース３０１と、通信部３０２と、制御部３０３と、を含む。
【００２７】
まず、車載情報端末１００について説明する。
【００２８】
入力部１０１は、例えば、タッチパネルや操作ボタンであり、自動車４００内のユーザ（以下、単に「ユーザ」とも称する）による操作を受け付ける。ユーザは、例えば、自動車４００の運転者である。
【００２９】
オーディオ入力部１０２は、例えば、マイクであり、ユーザの音声を受け付ける。
【００３０】
オーディオ出力部１０３は、例えば、スピーカであり、ユーザに音声や音楽やアラーム音等の音を伝える。
【００３１】
表示部１０４は、種々の画面を表示する。
【００３２】
記憶部１０５は、種々のプログラム（例えば、ナビゲーションプログラムや、携帯型情報端末２００との通信を制御するプログラム）や、種々の情報（例えば、地図情報や音声情報）を記憶する。
【００３３】
車載端末通信部１０６は、有線または無線で携帯型情報端末２００と通信を行う。例えば、車載端末通信部１０６は、無線ＬＡＮ、Bluetooth（登録商標）、または、有線ケーブルを用いて、携帯型情報端末２００（携帯型端末通信部２０５）と通信する。
【００３４】
制御部１０７は、例えば、記憶部１０５内のプログラムを実行することによって車載情報端末１００を制御し、ナビゲーション機能を実行する。
【００３５】
ナビゲーション機能は、例えば、ユーザによる目的地の設定および変更を受け付け、自動車４００の位置と、目的地までの経路を、表示部１０４に表示された地図上に表示し、また、目的地への到達予想時刻と、道路交通情報と、自動車４００内の温度と、外気の温度とを、表示部１０４に表示する機能を有する。
【００３６】
また、制御部１０７は、自動車４００の動作を制御する車両制御装置５００から、自動車４００へのユーザの操作を表す自動車操作情報と、自動車４００に設けられた種々の検出部の検出結果と、を受け付ける。
【００３７】
自動車操作情報にて表される操作としては、例えば、自動車４００内のＢＧＭ（Back Ground Music）を設定する操作や、自動車４００の空調を設定する操作や、自動車４００のワイパーの速度を設定する操作や、ステアリングスイッチへの操作が挙げられる。
【００３８】
検出部の検出結果としては、例えば、ステアリングスイッチへの操作に応じて起動するカメラ撮影による撮影画像が挙げられる。
【００３９】
なお、自動車操作情報にて表される操作および検出部の検出結果は、適宜変更可能である。
【００４０】
また、制御部１０７は、オーディオ入力部１０２が入力したユーザの音声を認識する機能も有する。
【００４１】
制御部１０７は、制御部１０７が所有する情報（例えば、ナビゲーション機能に伴って得た情報、車両制御装置５００から得た情報、検出部の検出結果）を、車両情報として、車載端末通信部１０６を用いて携帯型情報端末２００に送信する。
【００４２】
次に、携帯型情報端末２００について説明する。なお、携帯型情報端末２００は、携帯通信端末の一例である。
【００４３】
入力部２０１は、例えば、操作ボタンやタッチパネルである。
【００４４】
表示部２０２は、種々の画面を表示する。
【００４５】
記憶部２０３は、携帯型情報端末２００の機能を規定する種々のプログラムや、種々の情報を記憶する。
【００４６】
通信部２０４は、無線基地局または無線ＬＡＮを介して、インターネット等のネットワークと接続し、そのネットワークを介して、クライドセンター３００等の通信相手と通信を行う。
【００４７】
携帯型端末通信部２０５は、有線または無線で車載情報端末１００と通信を行う。携帯型端末通信部２０５は、例えば、無線ＬＡＮ、Bluetooth、または、有線ケーブルを用いて、車載情報端末１００（車載端末通信部１０６）と通信する。
【００４８】
イベント検出部２０６は、検出手段の一例であり、車載情報端末１００からの情報（車両情報）に基づいて、自動車４００において発生したイベント（以下「発生イベント」と称する）の検出を行う。
【００４９】
本実施形態では、発生イベントとして、自動イベントと手動イベントとが用いられる。
【００５０】
自動イベントは、自動車の状況に応じて自動的に発生するイベントである。
【００５１】
自動イベントとしては、例えば、自動車４００の周囲の交通状況の変化、気温など車内や周囲の環境の変化、目的地までの到達予想時刻の変化、目的地までのルートから外れたり高速道路に乗り換えたりしたときに発生するルート再探索などのナビゲーション情報の変更が挙げられる。また、自動イベントとしては、運転者があらかじめ設定した地点に着いた時のように、事前に登録した条件に一致した時に発生するものもある。
【００５２】
手動イベントは、自動車４００の運転者の操作により発生するイベントである。
【００５３】
手動イベントとしては、例えば、目的地の設定および変更、車内のＢＧＭの設定、車内の空調の設定、ワイパーの速度変更、ステアリングスイッチを利用して起動するカメラ撮影による入力や音声認識による入力が挙げられる。
【００５４】
制御部２０７は、処理手段の一例であり、例えば、記憶部２０３内のプログラムを実行することによって携帯型情報端末２００を制御する。
【００５５】
例えば、制御部２０７は、イベント検出部２０６が検出した発生イベントを特定するためのイベントＩＤを生成する。イベントＩＤは、自動車４００で発生したイベント（発生イベント）を特定するための特定情報の一例である。
【００５６】
イベントＩＤには、発生イベントを個別に識別するためのイベント識別番号と、発生イベントの種類（例えば、目的地設定、ルート再探索、ワイパー速度変更）とが、示されている。なお、イベントＩＤには、ユーザを特定するためのユーザ識別情報（例えば、運転者のメールアドレス、携帯型情報端末２００のメールアドレス）が付加される。
【００５７】
制御部２０７は、通信部２０４を用いてイベントＩＤをクラウドセンター３００に送信する。
【００５８】
次に、クラウドセンター３００について説明する。なお、クラウドセンター３００は、情報公開支援システムの一例である。
【００５９】
データベース３０１は、格納手段の一例である。
【００６０】
図３は、データベース３０１に保存される情報の例を示した図である。
【００６１】
図３において、データベース３０１には、運転者の情報（ユーザ識別情報）３０１ａと、イベント種類情報３０１ｂと、公開文書情報３０１ｃと、公開先設定情報３０１ｄと、イベントＩＤ３０１ｅとが、保存される。
【００６２】
ユーザ識別情報３０１ａは、運転者を識別するための情報であり、イベントＩＤに付加されるユーザ識別情報と同じ種類の識別情報、例えば、運転者のメールアドレス（携帯型情報端末２００のメールアドレス）が用いられる。
【００６３】
公開文書情報３０１ｃは、公開予定の情報である公開対象情報の一例である。公開文書情報３０１ｃは、ユーザにて任意に作成される。
【００６４】
イベント種類情報３０１ｂは、公開文書情報３０１ｃを公開する契機となる契機イベントを表す契機イベント情報の一例である。本実施形態では、イベント種類情報３０１ｄが表すイベントの種類は、イベント検出部２０６にて検出されるイベントの種類に含まれる。
【００６５】
公開先設定情報３０１ｄは、公開文書情報３０１ｃの公開先を表す公開先情報の一例である。公開先設定情報３０１ｄとしては、例えば、公開相手のメールアドレスが用いられる。なお、公開先設定情報３０１ｄとして、例えば、特定のユーザのみが閲覧することができるＷｅｂサイトのアカウント情報が用いられてもよい。また、公開先範囲が制限されない場合（一般公開の場合）、公開先設定情報３０１ｄとして、ＳＮＳ（Social Networking Service）またはＷｅｂｌｏｇ（ウェブログ）等のユーザアカウントが用いられてもよい。
【００６６】
イベントＩＤ３０１ｅは、携帯型情報端末２００から受信したイベントＩＤである。
【００６７】
ユーザ識別情報３０１ａと、イベント種類情報３０１ｂと、公開文書情報３０１ｃと、公開先設定情報３０１ｄとは、公開文書情報３０１ｃごとに、互いに関連づけられて保存される。
【００６８】
図４は、データベース３０１での情報の関連づけの一例を示した図である。
【００６９】
図４では、ユーザ識別情報３０１ａである「運転者Ａ」と、イベント種類情報３０１ｂである「目的地設定」と、公開文書情報３０１ｃである「○○に行こう」と、公開先設定情報３０１ｄである「一般公開」とが、互いに関連づけられている。
【００７０】
なお、図４では、公開先設定情報３０１ｄである「一般公開」は、運転者ＡのＳＮＳのユーザアカウントを表すものとする。
【００７１】
また、データベース３０１内の情報は、例えば、携帯型情報端末２００のユーザ（自動車４００の運転者）にて設定される。
【００７２】
図２に戻って、通信部３０２は、インターネット等のネットワークと接続し、ネットワークを介して、携帯型情報端末２００と通信する。
【００７３】
制御部３０３は、制御手段の一例である。
【００７４】
制御部３０３は、プログラム制御により動作し、クラウドセンター３００を制御する。
【００７５】
例えば、制御部３０３は、携帯型情報端末２００からイベントＩＤを受信すると、イベントＩＤにて特定される発生イベントと同一の種類のイベント（以下「該当イベント」と称する）が、イベント種類情報３０１ｂとしてデータベース３０１に保存されている場合、該当イベントに関連づけられている公開文書情報（以下「該当公開文書情報」と称する）を、該当イベントに関連づけられている公開先設定情報にて表される公開先に公開する。
【００７６】
なお、本実施形態では、制御部３０３は、該当公開文書情報が存在する場合、該当公開文書情報を携帯型情報端末２００に送信し、その後、携帯型情報端末２００から、該当公開文書情報の公開を許容する旨の公開要求を受信した場合に、該当公開文書情報を公開する。
【００７７】
次に、動作を説明する。
【００７８】
以下では、自動車４００の運転者を「運転者Ａ」とし、運転者Ａは携帯型情報端末２００のユーザであるとする。
【００７９】
まず、運転者Ａは、公開文書情報３０１ｃ単位で、ユーザ識別情報３０１ａとイベント種類情報３０１ｂと公開文書情報３０１ｃと公開先設定情報３０１ｄとを互いに関連づけてクラウドセンター３００内のデータベース３０１に格納するように、携帯型情報端末２００または車載情報端末１００を操作する。
【００８０】
携帯型情報端末２００または車載情報端末１００は、運転者Ａの操作に応じて、公開文書情報３０１ｃ単位で、ユーザ識別情報３０１ａとイベント種類情報３０１ｂと公開文書情報３０１ｃと公開先設定情報３０１ｄとを互いに関連づけて、クラウドセンター３００内のデータベース３０１に格納する。
【００８１】
その後、車載情報端末１００内の制御部１０７は、制御部１０７が所有する車両情報（ナビゲーション機能に伴って得た情報、車両制御装置５００から得た情報、検出部の検出結果）を、車載端末通信部１０６を用いて、携帯型情報端末２００に送信する。
【００８２】
携帯型情報端末２００では、イベント検出部２０６は、携帯型端末通信部２０５を介して、車載情報端末１００からの車両情報を受信すると、車両情報を解析して、自動車４００において発生したイベント（発生イベント）の検出を行う。
【００８３】
イベント検出部２０６は、発生イベントを検出した場合、発生イベントを表す発生イベント情報を、制御部２０７に出力する。
【００８４】
制御部２０７は、発生イベント情報を受け付けると、図５に示す処理を行う。なお、図５は、制御部２０７が発生イベント情報を受け付けた場合の動作を説明するためのフローチャートである。
【００８５】
制御部２０７は、発生イベント情報を受け付けると、イベントＩＤを生成し、イベントＩＤに運転者Ａのユーザ識別情報を付加する。制御部２０７は、ユーザ識別情報付きのイベントＩＤを、通信部２０４からクラウドセンター３００の送信する（ステップＡ１）。以降、制御部２０７は、図５に示した処理においてクラウドセンター３００と通信する際には、ユーザ識別情報付きのイベントＩＤが含まれたデータ（情報）をクラウドセンター３００に送信する。
【００８６】
クラウドセンター３００では、制御部３０３は、携帯型情報端末２００から通信部３０２を介してユーザ識別情報付きのイベントＩＤを受信すると、図６に示す処理を行う。なお、図６は、制御部３０３がイベントＩＤを受け付けた場合の動作を説明するためのフローチャートである。
【００８７】
制御部３０３は、ユーザ識別情報付きのイベントＩＤを受信すると、データベース３０１を参照して、イベントＩＤに付加されたユーザ識別情報と同一のユーザ（運転者Ａ）を表すユーザ識別情報３０１ａと、イベントＩＤにて特定される発生イベントと同一の種類のイベント（該当イベント）を表すイベント種類情報３０１ｂと、に関連づけられた公開先設定情報３０１ｄであって、公開を表す公開先設定情報（以下「該当公開先設定情報」と称する）３０１ｄが存在するかを確認する（ステップＢ１）。
【００８８】
該当公開先設定情報３０１ｄが存在する場合、制御部３０３は、該当公開先設定情報３０１ｄに関連づけられた公開文書情報（該当公開文書情報）が、データベース３０１に保存されているかを確認する（ステップＢ２）。
【００８９】
該当公開文書情報が存在する場合、制御部３０３は、該当公開文書情報を公開予定文書として通信部３０２から携帯型情報端末２００に送信する（ステップＢ３）。
【００９０】
一方、ステップＢ１において該当公開先設定情報３０１ｄが存在しない場合には、制御部３０３は、公開予定文書が存在しない旨の情報（以下「公開予定文書無し情報」と称する）を、通信部３０２から携帯型情報端末２００に送信し（ステップＢ４）、処理を終了する。
【００９１】
また、ステップＢ２において該当公開文書情報が存在しない場合には、制御部３０３は、公開予定文書無し情報を、通信部３０２から携帯型情報端末２００に送信し（ステップＢ４）、処理を終了する。
【００９２】
携帯型情報端末２００では、制御部２０７は、ユーザ識別情報付きイベントＩＤを送信した後、公開予定文書または公開予定文書無し情報を受信する（ステップＡ２）。
【００９３】
続いて、制御部２０７は、公開予定文書を受信したかを確認、つまり、公開予定文書が存在するかを確認する（ステップＡ３）。
【００９４】
公開予定文書が存在しない場合、制御部２０７は、イベントＩＤの送信に伴う処理を終了する。
【００９５】
一方、公開予定文書が存在する場合、制御部２０７は、運転者Ａ向けに公開予定文書が存在することを通知する（ステップＡ４）。
【００９６】
公開予定文書が存在することを運転者向けに通知の方法としては、制御部２０７が、携帯型端末通信部２０５を介して、車載情報端末１００に、公開予定文書が存在する旨の情報（以下「存在情報」と称する）を送信してもよい。また、制御部２０７が、携帯型端末通信部２０５を介して、車載情報端末１００に、公開予定文書を読み上げた音声を表す音声情報（以下「読み上げ音声情報」と称する）を送信してもよい。
【００９７】
車載情報端末１００では、制御部１０７は、携帯型情報端末２００から車載端末通信部１０６を介して存在情報を受信すると、オーディオ出力部１０３からアラーム音を鳴らす。また、制御部１０７は、携帯型情報端末２００から車載端末通信部１０６を介して読み上げ音声情報を受信すると、オーディオ出力部１０３から読み上げ音声情報が表す音声を出力する。
【００９８】
運転者Ａは、アラーム音または読み上げ音声情報が表す音声を聞くことによって、公開予定文書が存在することを認識する。
【００９９】
運転者Ａは、公開予定文書の公開を取り消す場合には、アラーム音または読み上げ音声情報が表す音声が発生してから一定時間（例えば、５秒）の間に、公開を取り消す操作を行う。なお、一定時間は５秒に限らず適宜変更可能である。
【０１００】
公開を取り消す操作としては、例えば、自動車４００のハンドルに搭載されているステアリングスイッチによる取り消し操作や、オーディオ入力部１０２を利用した音声認識による音声入力（例えば「公開取り消し」という音声入力）などが挙げられる。
【０１０１】
制御部１０７は、アラーム音または読み上げ音声情報が表す音声が発生してから一定時間の間に、公開を取り消す操作を受け付けると、公開の取り消す旨の取り消し要求を、車載端末通信部１０６を介して携帯型情報端末２００に送信する。
【０１０２】
一方、公開予定文書の公開を実行する場合には、運転者Ａは、アラーム音または読み上げ音声情報が表す音声が発生してから一定時間の間に、公開を取り消す操作を行わない。
【０１０３】
携帯型情報端末２００では、制御部２０７は、存在情報または読み上げ音声情報を送信してから規定時間（例えば、７秒）の間に、携帯型端末通信部２０５を介して取り消し要求を受信したかを確認する（ステップＡ５）。なお、規定時間は７秒に限らず、一定時間（例えば、５秒）よりも長ければよい。
【０１０４】
ステップＡ５で取り消し要求が受信されない場合、制御部２０７は、通信部２０４を介して公開要求をクラウドセンター３００に送信する（ステップＡ６）。
【０１０５】
一方、ステップＡ５で取り消し要求が受信された場合、制御部２０７は、通信部２０４を介して非公開要求をクラウドセンター３００に送信する（ステップＡ７）。ステップＡ７に続いて、制御部２０７は、公開予定文書を公開しない旨の非公開通知を、携帯型端末通信部２０５を介して車載情報端末１００に送信する（ステップＡ８）。車載情報端末１００では、制御部１０７は、車載端末通信部１０６を介して非公開通知を受信すると、公開予定文書を公開しない旨を、オーディオ出力部１０３や表示部１０４を用いて、運転者に通知する。
【０１０６】
クラウドセンター３００では、制御部３０３は、通信部３０２を介して公開予定文書を携帯型情報端末２００に送信した後、携帯型情報端末２００から通信部３０２を介して、公開要求または非公開要求を受信する（ステップＢ５）。
【０１０７】
続いて、制御部３０３は、携帯型情報端末２００から公開要求を受信したかを確認する（ステップＢ６）。
【０１０８】
携帯型情報端末２００から公開要求を受信した場合には、制御部３０３は、公開予定文書（該当公開文書情報）を、該当公開先設定情報にて表される公開先に公開する（ステップＢ７）。
【０１０９】
例えば、該当公開先設定情報として、公開先のメールアドレスが用いられる場合、制御部３０３は、公開予定文書を通信部３０２から公開先のメールアドレスに送信することによって、公開予定文書を公開する。
【０１１０】
また、該当公開先設定情報として、公開先のユーザのみが閲覧することができるＷｅｂサイト（以下「特定Ｗｅｂサイト」と称する）のアカウント情報が用いられている場合、制御部３０３は、通信部３０２を介し、アカウント情報を用いて公開文書情報を特定Ｗｅｂサイトに登録することによって、公開予定文書を公開する。
【０１１１】
また、該当公開先設定情報として、ＳＮＳまたはＷｅｂｌｏｇのユーザアカウントが用いられる場合（一般公開の場合）、制御部３０３は、通信部３０２を介し、ＳＮＳまたはＷｅｂｌｏｇのユーザアカウントを用いて公開文書情報を閲覧可能な状態に設定することによって、公開予定文書を公開する。
【０１１２】
続いて、制御部３０３は、公開を完了した旨の公開完了通知を、通信部３０２を介して携帯型情報端末２００に送信する（ステップＢ８）。
【０１１３】
携帯型情報端末２００では、制御部２０７は、公開要求を送信した後に、通信部２０４を介して公開完了通知を受信すると（ステップＡ９）、公開完了通知を、携帯型端末通信部２０５を介して車載情報端末１００に送信する（ステップＡ１０）。
【０１１４】
車載情報端末１００では、制御部１０７は、携帯型情報端末２００から車載端末通信部１０６を介して公開完了通知を受信すると、オーディオ出力部１０３から公開が完了した旨を報知する。
【０１１５】
なお、本実施形態では、制御部３０３は、該当公開文書情報が存在する場合、ステップＢ３を実行して該当公開文書情報を公開予定文書として携帯型情報端末２００に送信したが、該当公開文書情報が存在する場合、ステップＢ３、Ｂ５およびＢ６を省略して、ステップＢ７を実行してもよい。
【０１１６】
次に、本実施形態の効果を説明する。
【０１１７】
本実施形態によれば、クラウドセンター３００では、データベース３０１は、公開文書情報３０１ｃと、公開文書情報３０１ｃを公開する契機となる契機イベントを表すイベント種類情報３０１ｂと、を格納する。制御部３０３は、車両４００で発生したイベントを特定するためのイベントＩＤを受信すると、イベントＩＤにて特定されるイベントが契機イベントである場合に、公開文書情報３０１ｃを公開する。
【０１１８】
このため、ユーザが公開したい情報（公開文書情報）を自動車の運転中にユーザが作成しなくても、公開文書情報を自動車の運転中に公開することが可能になる。
【０１１９】
なお、上記効果は、データベース３０１と制御部３０３とからなるシステムでも奏する。
【０１２０】
本実施形態では、データベース３０１は、公開文書情報３０１ｃの公開先を表す公開先設定情報３０１ｄを、さらに格納する。制御部３０３は、イベントＩＤにて特定されるイベントが契機イベントである場合に、公開文書情報３０１ｃを、公開先設定情報３０１ｄが表す公開先に公開する。
【０１２１】
このため、公開文書情報３０１ｃの公開先の範囲を設定することが可能になる。
【０１２２】
本実施形態では、データベース３０１は、複数の公開文書情報３０１ｃを格納し、公開文書情報３０１ｃごとに、公開文書情報３０１ｃとイベント種類情報３０１ｂと公開先設定情報３０１ｄとを互いに関連づけて格納する。制御部３０３は、イベントＩＤにて特定されるイベントが契機イベントのいずれかの該当契機イベントである場合に、複数の公開文書情報のうち、該当契機イベントを表すイベント種類情報３０１ｂと関連づけられた該当公開文書情報を、該当公開文書情報と関連づけられた公開先設定情報３０１ｄが表す公開先に公開する。
【０１２３】
このため、公開文書情報を、発生イベントの種類によって、その公開範囲を切り替えて公開することが可能になる。
【０１２４】
本実施形態では、制御部３０３は、イベントＩＤにて特定されるイベントが契機イベントである場合に、イベントＩＤの送信元（携帯型情報端末２００）に該当公開文書情報を送信し、その後、イベントＩＤの送信元から該当公開文書情報の公開を許容する旨の公開要求を受信した場合に、該当公開文書情報を公開する。
【０１２５】
このため、公開要求の有無によって、該当公開文書情報を公開するか否かを制御することが可能になる。
【０１２６】
また、本実施形態によれば、携帯型情報端末２００では、イベント検出部２０６は、車載情報端末１００から車両４００に関する車両情報を受信すると、車両情報を用いて、車両４００で発生したイベントを検出する。制御部２０７は、イベント検出部２０６が検出したイベントを特定するためのイベントＩＤを、クラウドセンター３００に送信する。
【０１２７】
このため、携帯型情報端末２００は、クラウドセンター３００との通信機能を持たない車載情報端末１００とクラウドセンター３００との間の通信を実現でき、また、ユーザが公開したい情報（公開文書情報）を自動車の運転中にユーザが携帯型情報端末２００を操作して作成することをしなくても、クラウドセンター３００にイベントＩＤを自動的に送信することによって、公開文書情報を自動車の運転中に公開することが可能になる。
【０１２８】
本実施形態では、制御部２０７は、イベントＩＤを送信した後に公開予定文書を受信すると、公開予定文書が存在する旨の公開通知情報（存在情報または読み上げ音声情報）を車載情報端末１００に送信し、その後、所定時間の間に、車載情報端末１００から取り消し要求（取り消し通知情報）を受信しない場合に、公開要求をクラウドセンター３００に送信する。
【０１２９】
このため、公開予定文書を公開してよいか否かを、車載情報端末１００を介して運転者に確認することができ、運転者の意図に沿って、公開予定文書を公開してよいか否か判定することが可能になる。
【０１３０】
また、本実施形態によれば、携帯型情報端末２００がナビゲーションシステムの情報など自動車の情報を取得して、発生したイベントごとに、運転者が自動的に設定した公開範囲に従って文書を公開することにより、運転者が運転中に携帯型情報端末２００を見ることなく自動的に情報公開を行うことができる。このため、自動車運転の安全性の向上を図ることが可能になる。
【０１３１】
（第２実施形態）
図７は、本発明の第２実施形態の情報公開システム１Ａを示した図面である。図７において、図２に示したものと同一構成のものには同一符号を付してある。
【０１３２】
第２実施形態の情報公開システム１Ａでは、車載情報端末１００にイベント検出部１０８が含まれ、車載情報端末１００においてイベントの検出が行われる。
【０１３３】
図７に示した制御部１０７は、車両情報をイベント検出部１０８に出力する。イベント検出部１０８は、イベント検出部２０６と同様に、車両情報に基づいて、自動車４００において発生したイベント（発生イベント）の検出を行う。
【０１３４】
イベント検出部１０８が発生イベントを検出すると、図７に示した制御部１０７は、発生イベントを表すイベント情報を、車載端末通信部１０６から携帯型情報端末２００に送信する。
【０１３５】
図７に示した制御部２０７は、携帯型端末通信部２０５を介してイベント情報を受信すると、図５に示した処理を行うことで、文書の公開が可能となる。
【０１３６】
本実施形態によれば、図７に示した制御部２０７は、車載情報端末１００から車両４００で発生したイベントを表すイベント情報を受信すると、イベント情報が表すイベントを特定するためのイベントＩＤを、クラウドセンター３００に送信する。
【０１３７】
このため、車載情報端末１００がイベント検出部１０８を有していても、クラウドセンター３００にイベントＩＤを自動的に送信でき、公開文書情報を自動車の運転中に公開することが可能になる。
【０１３８】
（第３実施形態）
図８は、本発明の第３実施形態の情報公開システム１Ｂを示した図面である。図８において、図１に示したものと同一構成のものには同一符号を付してある。
【０１３９】
第３実施形態の情報公開システム１Ｂでは、カーナビゲーションシステムが搭載されている携帯型情報端末が、携帯型情報端末２００として利用される。このため、第３実施形態の情報公開システム１Ｂでは、車載情報端末を利用せずにナビゲーション情報を取得することができ、自動的に文書を公開することが可能となる。
【０１４０】
図９は、図８に示す情報公開システム１Ｂの概略的な機能を示した図である。図９において、図２に示したものと同一構成のものには同一符号を付してある。
【０１４１】
図９に示した携帯型情報端末２００は、図２に示した携帯型情報端末２００に対して、オーディオ出力部２０８とオーディオ入力部２０９とが追加され、制御部２０７の代わりに制御部２０７Ｂが用いられる。
【０１４２】
制御部２０７Ｂは、車両案内手段および処理手段の一例である。
【０１４３】
制御部２０７Ｂは、図２に示した制御部２０７の機能を有し、さらに、車両を目的地まで案内するカーナビゲーション機能を有する。
【０１４４】
図９に示したイベント検出部２０６は、制御部２０７Ｂの出力であるナビゲーション情報に基づいて、車両４００で発生した発生イベントを検出する。なお、制御部２０７Ｂからのナビゲーション情報は、目的地の設定および変更も表す。
【０１４５】
制御部２０７Ｂは、イベント検出部２０６が発生イベントを検出すると、図５に示した処理を行うことで、文書の公開が可能となる。
【０１４６】
オーディオ出力部２０８は、出力手段の一例である。
【０１４７】
オーディオ出力部２０８は、制御部２０７Ｂがユーザ識別情報付きイベントＩＤを送信した後に公開予定文書を受信すると、公開予定文書が存在する旨の出力（例えば、アラーム音の出力、公開予定文書を読み上げた音声の出力）を行う。
【０１４８】
オーディオ入力部２０９は、受付手段の一例である。
【０１４９】
オーディオ入力部２０９は、公開予定文書の公開を取り消す旨の取り消し操作（取り消す旨の音声の入力操作）を受け付ける。
【０１５０】
本実施形態によれば、携帯型情報端末２００では、制御部２０７Ｂは、車両４００を目的地まで案内する。イベント検出部２０６は、制御部２０７Ｂの出力（ナビゲーション情報）に基づいて、車両４００で発生した発生イベントを検出する。制御部２０７Ｂは、イベント検出部２０６が検出した発生イベントを特定するためのイベントＩＤを、クラウドセンター３００に送信する。
【０１５１】
このため、車載情報端末を用いることなく、クラウドセンター３００にイベントＩＤを自動的に送信でき、公開文書情報を自動車の運転中に公開することが可能になる。
【０１５２】
（第４実施形態）
図１０は、本発明の第４実施形態の情報公開システム１Ｃを示した図面である。
【０１５３】
第４実施形態では、クラウドセンターを利用せず携帯型情報端末が広域ネットワークとの通信を利用することで自動的に文書を公開することが可能となる。
【０１５４】
図１１は、図１０に示す情報公開システム１Ｃの概略的な機能を示した図である。図１１において、図９に示したものと同一構成のものには同一符号を付してある。
【０１５５】
図１１に示した携帯型情報端末２００は、図９に示した携帯型情報端末２００に対して、制御部２０７Ｂの代わりに制御部２０７Ｃが用いられる。
【０１５６】
図１１に示した記憶部２０３は、格納手段の一例である。
【０１５７】
図１１に示した記憶部２０３は、データベース３０１の代わりに、データベース３０１が格納していた情報を格納する。なお、本実施形態では、記憶部２０３は、データベース３０１が格納していた情報のうち、携帯型情報端末２００のユーザ（運転手Ａ）のユーザ識別情報に関連づけられた情報のみを格納する。
【０１５８】
制御部２０７Ｃは、車両案内手段および制御手段の一例である。
【０１５９】
制御部２０７Ｃは、制御部２０７Ｂと同様に、車両を目的地まで案内するカーナビゲーション機能を有する。
【０１６０】
図１１に示したイベント検出部２０６は、制御部２０７Ｃの出力であるナビゲーション情報に基づいて、車両４００で発生した発生イベントを検出する。
【０１６１】
制御部２０７Ｃは、イベント検出部２０６にて検出された発生イベントが契機イベントである場合に、契機イベントに関連づけられた該当公開文書情報を、契機イベントに関連づけられた公開先に公開する。
【０１６２】
図１２は、制御部２０７Ｃの動作を説明するためのフローチャートである。
【０１６３】
制御部２０７Ｃは、イベント検出部２０６が発生イベントを検出すると、記憶部２０３を参照して、発生イベントと同一の種類のイベント（該当イベント）を表すイベント種類情報３０１ｂに関連づけられた公開先設定情報３０１ｄであって、公開を表す公開先設定情報（該当公開先設定情報）３０１ｄが存在するかを確認する（ステップＣ１）。
【０１６４】
該当公開先設定情報が存在する場合、制御部２０７Ｃは、該当公開先設定情報３０１ｄに関連づけられた公開文書情報（該当公開文書情報）を特定する（ステップＣ２）。
【０１６５】
続いて、制御部２０７Ｃは、該当公開文書情報である公開予定文書がある旨の音声（例えば、「公開予定文書があります」という音声）を、オーディオ出力部２０８から出力して、運転者Ａに公開予定文書があることを通知する（ステップＣ３）。
【０１６６】
公開予定文書がある旨の音声が出力されてから一定時間内に、オーディオ入力部２０９が、公開を取り消す旨の音声入力の操作（例えば、「取り消し」という音声入力）を受け付けなかった場合（ステップＣ４）、制御部２０７Ｃは、公開予定文書（該当公開文書情報）を、該当公開先設定情報にて表される公開先に公開する（ステップＣ５）。なお、ステップＣ５での公開の手法は、第１実施形態で行われた公開の手法と同様である。
【０１６７】
続いて、制御部２０７Ｃは、文書を公開した旨の音声（例えば、「文書を公開しました」という音声）を、オーディオ出力部２０８から出力して、運転者Ａに公開予定文書が公開されたことを通知する（ステップＣ６）。
【０１６８】
一方、公開予定文書がある旨の音声が出力されてから一定時間内に、オーディオ入力部２０９が、公開を取り消す旨の音声入力の操作（例えば、「取り消し」という音声入力）を受け付けた場合（ステップＣ４）、制御部２０７Ｃは、文書を公開しない旨の音声（例えば、「文書を公開しません」という音声）を、オーディオ出力部２０８から出力して、運転者に公開予定文書を公開しないことを通知する（ステップＣ７）。
【０１６９】
本実施形態によれば、記憶部２０３は、公開文書情報と、公開文書情報を公開する契機となる契機イベントを表すイベント種類情報と、を格納する。制御部２０７Ｃは、車両４００を目的地まで案内する。イベント検出部２０６は、制御部２０７Ｃの出力（ナビゲーション情報）に基づいて、車両で発生したイベント（発生イベント）を検出する。制御部２０７Ｃは、発生イベントが契機イベントである場合に、公開文書情報を公開する。
【０１７０】
このため、クラウドセンター３０を用いることなく、ユーザが公開したい情報（公開文書情報）を自動車の運転中にユーザが作成しなくても、公開文書情報を自動車の運転中に公開することが可能になる。
【０１７１】
また、本実施形態では、制御部２０７Ｃは、発生イベントが契機イベントである場合に、公開文書情報が存在する旨の出力をオーディオ出力部２０８から行い、その後、所定時間の間、オーディオ入力部２０９が公開文書情報の公開を取り消す旨の取り消し操作を受け付けなかった場合に、公開文書情報を公開する。
【０１７２】
このため、公開予定文書を公開してよいか否かを、運転者に確認することができ、運転者の意図に沿って、公開予定文書を公開してよいか否か判定することが可能になる。
【０１７３】
なお、上記各実施形態において、車載情報端末１００、携帯型情報端末２００およびクラウドセンター３００は、それぞれ、コンピュータにて実現されてもよい。この場合、コンピュータは、コンピュータにて読み取り可能なＣＤ−ＲＯＭ（Compact Disk Read Only Memory）のような記録媒体に記録されたプログラムを読込み実行して、車載情報端末１００、携帯型情報端末２００またはクラウドセンター３００として機能する。記録媒体は、ＣＤ−ＲＯＭに限らず適宜変更可能である。
【０１７４】
以上説明した各実施形態において、図示した構成は単なる一例であって、本発明はその構成に限定されるものではない。
【０１７５】
実施形態を参照して本願発明を説明したが、本願発明は上記実施形態に限定されるものではない。本願発明の構成や詳細には、本願発明のスコープ内で当業者が理解し得る様々な変更をすることができる。この出願は、２０１２年９月１０日に出願された日本出願特願２０１２−１９８３２７を基礎とする優先権を主張し、その開示の全てをここに取り込む。
【０１７６】
上記の実施形態の一部または全部は、以下の付記のようにも記載されうるが、以下には限られない。
【０１７７】
（付記１）公開予定である公開対象情報と、当該公開対象情報を公開する契機となる契機イベントを表す契機イベント情報と、を格納する格納手段と、
車両で発生したイベントを特定するための特定情報を受信すると、当該特定情報にて特定されるイベントが前記契機イベントである場合に、前記契機イベントを公開の契機とする前記公開対象情報を公開する制御手段と、を含む情報公開支援システム。
【０１７８】
（付記２）前記格納手段は、前記公開対象情報の公開先を表す公開先情報を、さらに格納し、
前記制御手段は、前記特定情報にて特定されるイベントが前記契機イベントである場合に、前記契機イベントを公開の契機とする前記公開対象情報を前記公開先に公開する、付記１に記載の情報公開支援システム。
【０１７９】
（付記３）前記格納手段は、前記公開対象情報ごとに、前記公開対象情報と前記契機イベント情報と前記公開先情報とを互いに関連づけて格納し、
前記制御手段は、前記特定情報にて特定されるイベントが前記契機イベントのいずれかの該当契機イベントである場合に、複数の前記公開対象情報のうち、前記該当契機イベントを表す契機イベント情報と関連づけられた該当公開対象情報を、前記該当公開対象情報と関連づけられた公開先情報が表す公開先に公開する、付記２に記載の情報公開支援システム。
【０１８０】
（付記４）前記制御手段は、前記特定情報にて特定されるイベントが前記契機イベントである場合に、前記特定情報の送信元に前記公開対象情報を送信し、その後、前記送信元から前記公開対象情報の公開を許容する旨の公開要求を受信した場合に、前記契機イベントを公開の契機とする前記公開対象情報を公開する、付記１から３のいずれか１項に記載の情報公開支援システム。
【０１８１】
（付記５）付記１から４のいずれか１項に記載の情報公開支援システムと、車両に搭載された車載機と、の各々と通信する携帯通信端末であって、
前記車載機から前記車両に関する車両情報を受信すると、当該車両情報を用いて、前記車両で発生したイベントを検出する検出手段と、
前記検出手段が検出したイベントを特定するためのイベント特定情報を、前記特定情報として、前記情報公開支援システムに送信する処理手段と、を含む携帯通信端末。
【０１８２】
（付記６）付記１から４のいずれか１項に記載の情報公開支援システムと、車両に搭載された車載機と、の各々と通信する携帯通信端末であって、
前記車載機から前記車両で発生したイベントを表すイベント情報を受信すると、当該イベント情報が表すイベントを特定するためのイベント特定情報を、前記特定情報として、前記情報公開支援システムに送信する処理手段を含む携帯通信端末。
【０１８３】
（付記７）付記１から４のいずれか１項に記載の情報公開支援システムと通信する携帯通信端末であって、
前記車両を目的地まで案内する車両案内手段と、
前記車両案内手段の出力に基づいて、前記車両で発生したイベントを検出する検出手段と、
前記検出手段が検出したイベントを特定するためのイベント特定情報を、前記特定情報として、前記情報公開支援システムに送信する処理手段と、を含む携帯通信端末。
【０１８４】
（付記８）前記携帯通信端末は、請求項４に記載の情報公開支援システムと通信し、
前記処理手段は、前記イベント特定情報を送信した後に前記公開対象情報を受信すると、前記公開対象情報が存在する旨の公開通知情報を前記車載機に送信し、その後、所定時間の間に、前記車載機から前記公開対象情報の公開を取り消す旨の取り消し通知情報を受信しない場合に、前記公開要求を前記情報公開支援システムに送信する、付記５または６に記載の携帯通信端末。
【０１８５】
（付記９）前記携帯通信端末は、請求項４に記載の情報公開支援システムと通信し、
前記処理手段が前記イベント特定情報を送信した後に前記公開対象情報を受信すると、前記公開対象情報が存在する旨の出力を行う出力手段と、
前記公開対象情報の公開を取り消す旨の取り消し操作を受け付ける受付手段と、をさらに含み、
前記処理手段は、前記出力手段が前記出力を行ってから所定時間の間に、前記受付手段が前記取り消し操作を受け付けなかった場合に、前記公開要求を前記情報公開支援システムに送信する、付記７に記載の携帯通信端末。
【０１８６】
（付記１０）公開予定である公開対象情報と、当該公開対象情報を公開する契機となる契機イベントを表す契機イベント情報と、を格納する格納手段と、
車両を目的地まで案内する車両案内手段と、
前記車両案内手段の出力に基づいて、前記車両で発生したイベントを検出する検出手段と、
前記検出手段にて検出されたイベントが前記契機イベントである場合に、前記契機イベントを公開の契機とする前記公開対象情報を公開する制御手段と、を含む携帯通信端末。
【０１８７】
（付記１１）出力手段と、
受付手段と、をさらに含み、
前記制御手段は、前記検出手段にて検出されたイベントが前記契機イベントである場合に、前記公開対象情報が存在する旨の出力を前記出力手段から行い、その後、所定時間の間、前記受付手段が前記公開対象情報の公開を取り消す旨の取り消し操作を受け付けなかった場合に、前記契機イベントを公開の契機とする前記公開対象情報を公開する、付記１０に記載の携帯通信端末。
【０１８８】
（付記１２）情報公開支援システムが行う情報公開支援方法であって、
公開予定である公開対象情報と、当該公開対象情報を公開する契機となる契機イベントを表す契機イベント情報とを、格納手段に格納し、
車両で発生したイベントを特定するための特定情報を受信すると、当該特定情報にて特定されるイベントが前記契機イベントである場合に、前記契機イベントを公開の契機とする前記公開対象情報を公開する、情報公開支援方法。
【０１８９】
（付記１３）付記１から４のいずれか１項に記載の情報公開支援システムと、車両に搭載された車載機と、の各々と通信する携帯通信端末が行う情報公開支援方法であって、
前記車載機から前記車両に関する車両情報を受信すると、当該車両情報を用いて、前記車両で発生したイベントを検出し、
検出されたイベントを特定するためのイベント特定情報を、前記特定情報として、前記情報公開支援システムに送信する、情報公開支援方法。
【０１９０】
（付記１４）付記１から４のいずれか１項に記載の情報公開支援システムと、車両に搭載された車載機と、の各々と通信する携帯通信端末が行う情報公開支援方法であって、
前記車載機から前記車両で発生したイベントを表すイベント情報を受信すると、当該イベント情報が表すイベントを特定するためのイベント特定情報を、前記特定情報として、前記情報公開支援システムに送信する、情報公開支援方法。
【０１９１】
（付記１５）付記１から４のいずれか１項に記載の情報公開支援システムと通信する携帯通信端末が行う情報公開支援方法であって、
前記車両を目的地まで案内し、
前記車両の案内に基づいて、前記車両で発生したイベントを検出し、
検出されたイベントを特定するためのイベント特定情報を、前記特定情報として、前記情報公開支援システムに送信する、情報公開支援方法。
【０１９２】
（付記１６）携帯通信端末が行う情報公開支援方法であって、
公開予定の情報である公開対象情報と、当該公開対象情報を公開する契機となる契機イベントを表す契機イベント情報とを、格納手段に格納し、
車両を目的地まで案内し、
前記車両の案内に基づいて、前記車両で発生したイベントを検出し、
検出されたイベントが前記契機イベントである場合に、前記契機イベントを公開の契機とする前記公開対象情報を公開する、情報公開支援方法。
【０１９３】
（付記１７）コンピュータに、
公開予定である公開対象情報と、当該公開対象情報を公開する契機となる契機イベントを表す契機イベント情報とを、格納手段に格納する格納手順と、
車両で発生したイベントを特定するための特定情報を受信すると、当該特定情報にて特定されるイベントが前記契機イベントである場合に、前記契機イベントを公開の契機とする前記公開対象情報を公開する制御手順と、を実行させるためのプログラムを記録したコンピュータ読み取り可能な記録媒体。
【０１９４】
（付記１８）コンピュータに、
車載機から車両に関する車両情報を受信すると、当該車両情報を用いて、前記車両で発生したイベントを検出する検出手順と、
検出されたイベントを特定するためのイベント特定情報を、特定情報として、付記１から４のいずれか１項に記載の情報公開支援システムに送信する処理手順と、を実行させるためのプログラムを記録したコンピュータ読み取り可能な記録媒体。
【０１９５】
（付記１９）コンピュータに、
車載機から車両で発生したイベントを表すイベント情報を受信すると、当該イベント情報が表すイベントを特定するためのイベント特定情報を、特定情報として、付記１から４のいずれか１項に記載の情報公開支援システムに送信する手順を実行させるためのプログラムを記録したコンピュータ読み取り可能な記録媒体。
【０１９６】
（付記２０）コンピュータに、
車両を目的地まで案内する車両案内手順と、
前記車両の案内に基づいて、前記車両で発生したイベントを検出する検出手順と、
検出されたイベントを特定するためのイベント特定情報を、特定情報として、付記１から４のいずれか１項に記載の情報公開支援システムに送信する処理手順と、を実行させるためのプログラムを記録したコンピュータ読み取り可能な記録媒体。
【０１９７】
（付記２１）コンピュータに、
公開予定である公開対象情報と、当該公開対象情報を公開する契機となる契機イベントを表す契機イベント情報とを、格納手段に格納する格納手順と、
車両を目的地まで案内する車両案内手順と、
前記車両の案内に基づいて、前記車両で発生したイベントを検出する検出手順と、
検出されたイベントが前記契機イベントである場合に、前記契機イベントを公開の契機とする前記公開対象情報を公開する制御手順と、を実行させるためのプログラムを記録したコンピュータ読み取り可能な記録媒体。
【符号の説明】
【０１９８】
１、１Ａ、１Ｂ、１Ｃ  情報公開システム
１００      車載情報端末
１０１      入力部
１０２      オーディオ入力部
１０３      オーディオ出力部
１０４      表示部
１０５      記憶部
１０６      車載端末通信部
１０７      制御部
１０８      イベント検出部
２００      携帯型情報端末
２０１      入力部
２０２      表示部
２０３      記憶部
２０４      通信部
２０５      携帯型端末通信部
２０６      イベント検出部
２０７、２０７Ｂ、２０７Ｃ  制御部
２０８      オーディオ出力部
２０９      オーディオ入力部
３００      クラウドセンター
３０１      データベース
３０２      通信部
３０３      制御部
４００      自動車
５００      車両制御装置
【図１】
2014038250.tif 000003
【図２】
2014038250.tif 000004
【図３】
2014038250.tif 000005
【図４】
2014038250.tif 000006
【図５】
2014038250.tif 000007
【図６】
2014038250.tif 000008
【図７】
2014038250.tif 000009
【図８】
2014038250.tif 000010
【図９】
2014038250.tif 000011
【図１０】
2014038250.tif 000012
【図１１】
2014038250.tif 000013
【図１２】
2014038250.tif 000014
【手続補正書】
【提出日】平成27年3月3日(2015.3.3)
【手続補正１】
【補正対象書類名】特許請求の範囲
【補正対象項目名】請求項９
【補正方法】変更
【補正の内容】
【請求項９】
コンピュータに、
公開予定である公開対象情報と、当該公開対象情報を公開する契機となる契機イベントを表す契機イベント情報とを、格納手段に格納する格納手順と、
車両で発生したイベントを特定するための特定情報を受信すると、当該特定情報にて特定されるイベントが前記契機イベントである場合に、前記契機イベントを公開の契機とする前記公開対象情報を公開する制御手順と、を実行させるためのプログラム。
【手続補正２】
【補正対象書類名】特許請求の範囲
【補正対象項目名】請求項１０
【補正方法】変更
【補正の内容】
【請求項１０】
コンピュータに、
公開予定である公開対象情報と、当該公開対象情報を公開する契機となる契機イベントを表す契機イベント情報とを、格納手段に格納する格納手順と、
車両を目的地まで案内する車両案内手順と、
前記車両の案内に基づいて、前記車両で発生したイベントを検出する検出手順と、
検出されたイベントが前記契機イベントである場合に、前記契機イベントを公開の契機とする前記公開対象情報を公開する制御手順と、を実行させるためのプログラム。
【手続補正４】
【補正対象書類名】明細書
【補正対象項目名】００１５
【補正方法】変更
【補正の内容】
【００１５】
本発明のプログラムは、
コンピュータに、
公開予定である公開対象情報と、当該公開対象情報を公開する契機となる契機イベントを表す契機イベント情報とを、格納手段に格納する格納手順と、
車両で発生したイベントを特定するための特定情報を受信すると、当該特定情報にて特定されるイベントが前記契機イベントである場合に、前記契機イベントを公開の契機とする前記公開対象情報を公開する制御手順と、を実行させる。
【手続補正５】
【補正対象書類名】明細書
【補正対象項目名】００１６
【補正方法】変更
【補正の内容】
【００１６】
本発明のプログラムは、
コンピュータに、
公開予定である公開対象情報と、当該公開対象情報を公開する契機となる契機イベントを表す契機イベント情報とを、格納手段に格納する格納手順と、
車両を目的地まで案内する車両案内手順と、
前記車両の案内に基づいて、前記車両で発生したイベントを検出する検出手順と、
検出されたイベントが前記契機イベントである場合に、前記契機イベントを公開の契機とする前記公開対象情報を公開する制御手順と、を実行させる。
【手続補正６】
【補正対象書類名】明細書
【補正対象項目名】０１９３
【補正方法】変更
【補正の内容】
【０１９３】
（付記１７）コンピュータに、
公開予定である公開対象情報と、当該公開対象情報を公開する契機となる契機イベントを表す契機イベント情報とを、格納手段に格納する格納手順と、
車両で発生したイベントを特定するための特定情報を受信すると、当該特定情報にて特定されるイベントが前記契機イベントである場合に、前記契機イベントを公開の契機とする前記公開対象情報を公開する制御手順と、を実行させるためのプログラム。
【手続補正７】
【補正対象書類名】明細書
【補正対象項目名】０１９４
【補正方法】変更
【補正の内容】
【０１９４】
（付記１８）コンピュータに、
車載機から車両に関する車両情報を受信すると、当該車両情報を用いて、前記車両で発生したイベントを検出する検出手順と、
検出されたイベントを特定するためのイベント特定情報を、特定情報として、付記１から４のいずれか１項に記載の情報公開支援システムに送信する処理手順と、を実行させるためのプログラム。
【手続補正８】
【補正対象書類名】明細書
【補正対象項目名】０１９５
【補正方法】変更
【補正の内容】
【０１９５】
（付記１９）コンピュータに、
車載機から車両で発生したイベントを表すイベント情報を受信すると、当該イベント情報が表すイベントを特定するためのイベント特定情報を、特定情報として、付記１から４のいずれか１項に記載の情報公開支援システムに送信する手順を実行させるためのプログラム。
【手続補正９】
【補正対象書類名】明細書
【補正対象項目名】０１９６
【補正方法】変更
【補正の内容】
【０１９６】
（付記２０）コンピュータに、
車両を目的地まで案内する車両案内手順と、
前記車両の案内に基づいて、前記車両で発生したイベントを検出する検出手順と、
検出されたイベントを特定するためのイベント特定情報を、特定情報として、付記１から４のいずれか１項に記載の情報公開支援システムに送信する処理手順と、を実行させるためのプログラム。
【手続補正１０】
【補正対象書類名】明細書
【補正対象項目名】０１９７
【補正方法】変更
【補正の内容】
【０１９７】
（付記２１）コンピュータに、
公開予定である公開対象情報と、当該公開対象情報を公開する契機となる契機イベントを表す契機イベント情報とを、格納手段に格納する格納手順と、
車両を目的地まで案内する車両案内手順と、
前記車両の案内に基づいて、前記車両で発生したイベントを検出する検出手順と、
検出されたイベントが前記契機イベントである場合に、前記契機イベントを公開の契機とする前記公開対象情報を公開する制御手順と、を実行させるためのプログラム。
【国際調査報告】
2014038250.tif 000015
2014038250.tif 000016